(57)【特許請求の範囲】
【請求項１】
立体の表面の少なくとも１ケ所に、２つの突片または突部を、後記第２のブロックの軸棒を嵌入させる間隔をおいて対向させて設けたプラグを有する第１のブロックと、
プレートの表裏面に開口する１または複数の貫通孔を設け、それらの貫通孔のそれぞれを横切って１本の軸棒を設け、該軸棒で前記貫通孔を２分割し、それぞれの分割孔に前記第１のブロックの２つの突片または突部の一方を挿入しうるようにしてなる受口を有する第２のブロックと、
よりなり、前記第２のブロックの２つに分割された受口の貫通孔に、前記第１のブロックの突片または突部を挿入し、かつ、第２のブロックの軸棒を第１のブロックの突片または突部の間隙に嵌入させ、前記軸棒を軸として、いずれかのブロックを回動させて角度調整をし、２つのブロックを組立可能とする組立用ブロック。
【請求項２】
プレートの表裏面に開口する１または複数の貫通孔を設け、それらの貫通孔のそれぞれを横切って１本の軸棒を設け、該軸棒で前記貫通孔を２分割してなる受口と，
前記プレートの周壁面のいずれかの箇所に、２つの突片を、前記軸棒と同じ形状の、他のブロックの軸棒を嵌入させる間隔をおいて対向させて設けたプラグ、および／または、周壁面のいずれかの箇所に、突部を設け、該突部に湾入部を設け、該湾入部の開口に沿い、かつ、湾入部の奥の底面と間隔をおいて軸棒をとりつけた受け口と，
を設けてなり、前記の分割された受口の貫通孔に、または、前記湾入部に、他のブロックの２つの突片を挿入し、かつ、前記軸棒を前記他のブロックの突片の間隙に嵌入させ、前記軸棒を軸として、いずれかのブロックを回動させ、２つのブロックを所望の角度で組立可能とする組立用ブロック。
【請求項３】
立体の表面の少なくとも１ケ所に、湾入部または穴を設け、該湾入部または穴の底と間隔をおいて、かつ、湾入部または穴の開口を横切って軸棒を設け、更に、表面の少なくとも１ケ所に、２つの突片または突部を、前記軸棒と同様の他のブロックの軸棒を嵌入させる間隔をおいて対向させ、かつ、その対向面に、前記嵌入させた軸棒の抜け止めのための突起または突条あるいは溝を設けてなる組立用ブロック。
【請求項４】
立体の表面の少なくとも１ケ所に、湾入部または穴を設け、該湾入部または穴の底と間隔をおいて、かつ、湾入部または穴の開口を横切って軸棒を設けた第１のブロックと、立体の表面の少なくとも１ケ所に、２つの突片または突部を、前記第１のブロックの軸棒を嵌入させる間隔をおいて対向させ、かつ、その対向面に、前記嵌入させた軸棒の抜け止めのための突起または突条あるいは溝を設けてなる第２のブロックとよりなる組立用ブロック。
【発明の詳細な説明】
【０００１】
【発明の属する技術分野】
この発明は、主として玩具として用いられるか、または、実用品を組み立てるための組立用ブロックに関するものである。
【０００２】
【従来の技術】
従来の組立用ブロックは、ブロックの表面に連結用の受口と、その受口と同一の他のブロックの受口に嵌合できる突部（プラグ）を有するブロックを設け、一つのブロックの受口に他のブロックの突部（プラグ）を嵌合して連結している。
【０００３】
【発明が解決しようとする課題】
従来のブロックは、１つのブロックの受口に他のブロックの突部を嵌入させて２つのブロックを横方向か直角方向に連結できるが、その角度は固定的で、他の角度に連結できない。
【０００４】
この発明は、２つのブロックを角度を変えて連結でき、従来のブロックに比べて多様な形状の玩具やその他装飾、実用的物体の組立をすることができる組立ブロックを提供することを目的とする。
【０００５】
【課題を解決するための手段】
プレート、立方体、直方体、球体、またはその他の形状の立体の表面の少なくとも１ケ所に、２つの突片または突部を、後記第２のブロックの軸棒を嵌入させる間隔をおいて対向させて設けたプラグを有する第１のブロックと、
プレートの表裏面に開口する１または複数の貫通孔を設け、それらの貫通孔のそれぞれを横切って１本の軸棒を設け、該軸棒で前記貫通孔を２分割し、それぞれの分割孔に前記第１のブロックの２つの突片または突部の一方を挿入しうるようにしてなる受口を有する第２のブロックとで、
組立用ブロックを構成し、前記第２のブロックの２つに分割された受口の貫通孔に、前記第１のブロックの突片または突部を挿入し、かつ、第２のブロックの軸棒を第１のブロックの突片または突部の間隙に嵌入させ、前記軸棒を軸として、いずれかのブロックを回動させて角度調整をし、２つのブロックを組立可能とする。
【０００６】
プレートの表裏面に開口する１または複数の貫通孔を設け、それらの貫通孔のそれぞれを横切って１本の軸棒を設け、該軸棒で前記貫通孔を２分割してなる受口と，
前記プレートの周壁面のいずれかの箇所に、２つの突片を、前記軸棒と同じ形状の、他のブロックの軸棒を嵌入させる間隔をおいて対向させて設けたプラグ、および／または、周壁面のいずれかの箇所に、突部を設け、該突部に湾入部を設け、該湾入部の開口に沿い、かつ、湾入部の奥の底面と間隔をおいて軸棒をとりつけた受け口とを、  設けて組立用ブロックとし、前記の分割された受口の貫通孔に、または、前記湾入部に、他のブロックの２つの突片を挿入し、かつ、前記軸棒を前記他のブロックの突片の間隙に嵌入させ、前記軸棒を軸として、いずれかのブロックを回動させ、２つのブロックを所望の角度で組立可能とする。
【０００７】
立体の表面の少なくとも１ケ所に、湾入部または穴を設け、該湾入部または穴の底と間隔をおいて、かつ、湾入部または穴の開口を横切って軸棒を設け、更に、表面の少なくとも１ケ所に、２つの突片または突部を、前記軸棒と同様の他のブロックの軸棒を嵌入させる間隔をおいて対向させ、かつ、その対向面に、前記嵌入させた軸棒の抜け止めのための突起または突条あるいは溝を設けて組立用ブロックとする。
【０００８】
立体の表面の少なくとも１ケ所に、湾入部または穴を設け、該湾入部または穴の底と間隔をおいて、かつ、湾入部または穴の開口を横切って軸棒を設けた第１のブロックと、立体物の表面の少なくとも１ケ所に、２つの突片または突部を、前記第１のブロックの軸棒を嵌入させる間隔をおいて対向させ、かつ、その対向面に、前記嵌入させた軸棒の抜け止めのための突起または突条あるいは溝を設けてなる第２のブロックとで組立用ブロックを構成する。
【０００９】
【発明の実施の形態】
この発明の実施の形態を図面により説明する。
この発明に係る組立用ブロックは、プレート状または他の形状の立体であって、プラスチック、金属、木、ゴム等よりなる。幼児用の組立用ブロックは幾分軟質のプラスチックやゴムで形成するのが好ましい。
【００１０】
図１に示すブロック１は、平面長方形の基部プレート２の対向する２つの周壁面のそれぞれに突片３を設け、各突片３には湾入部４を設け、湾入部４の開口を横切って、湾入部４の底と間隔をおいて、軸棒５を設けて受口とする第１のブロックである。
湾入部４は、その底と軸棒５との間が孔を形成する。
【００１１】
ブロック１の突片３のない、対向した周壁のそれぞれに、間隔７をおいて周壁面の上下方向に対向した、他のブロックの湾入部４に挿入しうる、突片６、６を設ける。間隔７は他のブロックの軸棒５が嵌入しうる幅とする。
更に２つの突片６、６の対向する面に僅かに突出した高さの突条８、８、またはそれぞれ複数の突起を設けるのが好ましい。この突条８または突起は、他のブロックの軸棒５を突片６、６の間隔７内に嵌入したときの抜け止めであって、軸棒５を間隔７に嵌入するときには、少し力を入れて押すと、対向する突条８または突起の間隔が押し広げられて軸棒５は対向する突条８または突起間を通過し、その通過が終わると２つの突条８または突起の間隔は元の間隔となり、軸棒を強く引かない限り、ブロック１と他のブロックとの係合が強固に保たれる。
【００１２】
突条８または突起の代わりに、図１（Ｅ）に示すように、２つの突片６、６の間隔７の幅を軸棒５の径よりもやや小さくし、２つの突片６、６の対向する面に溝９、９を設け、軸棒５を突片６、６の先端に対応させて強く押すことにより、軸棒５は突片６、６の先端の間隔７を押し広げながら溝９、９に達すると突片６、６の間隔は元に戻り、軸棒５は溝９、９の面で押さえられた状態となるようにしてもよい。
【００１３】
図１（Ａ）の１０は孔である。形状は円形に限定せず、他の形状であってもよい。孔１０は設けても、また設けなくてもよい。
【００１４】
軸棒５は突片３に接着固定するか、切削形成するか、一体成形する。
【００１５】
図２に示すブロック１１は、ブロック１および前記各種のブロックの突片６、６を嵌合させて組立てるための第２のブロックである。
【００１６】
ブロック１１は、基部プレート１２の表裏の面の１または複数の箇所に、ブロック１の突片６、６の厚みと間隔７を加えた幅よりもやや大きい幅で、突片６の幅よりもやや大きい長さの、表裏面に開口する貫通孔１３を設け、貫通孔１３の長手中心にブロック１の突片６と６との間隔７内に嵌入できる軸棒５を設けたものである。
孔１３は軸棒５によって２分割され、それぞれの分割孔にブロック１の突片６を挿入しうる構成である。
【００１７】
軸棒５を設けた貫通孔１３の数および位置は、基部プレート１２の大きさ、形状によって決める。
【００１８】
ブロック１１の両面または片面に、凹凸や色彩等で模様を付けるのが好ましい。  幼児用のブロックの場合にはどちらの面を表側にして組み立ててもよいように、両面に模様を付けるのが好ましい。
【００１９】
図３に示すものは、２枚のブロック１１と５枚のブロック１とで組み立てた自動車の玩具である。これを組み立てるためには、対向周壁面に突片６、６のあるブロック１を用い、先ず１枚のブロック１１のそれぞれの孔１３にブロック１の突片６、６を押し込み、ブロック１１の突片３の軸棒５を突片６、６の間隔７内に嵌入してそれぞれのブロック１をブロック１１に結合する。
次いで、軸棒５を軸としていずれかのブロック１を回動させて、ブロック１１に対するブロック１の角度を調整し、ブロック１１の貫通孔１３に嵌入していない対向側の突片６、６の先端を他の１枚のブロック１１のそれぞれの貫通孔１３に対向させ、そのブロック１１を強く押すと、そのブロック１１のそれぞれの軸棒５がブロック１のそれぞれの突片６、６の間隔７に嵌入し、そのブロック１１も各ブロック１と結合し、図３に示す自動車の玩具が組み立てられる。
【００２０】
ブロック１の形状は、図１に示すものに限定するものでなく、平面形状が円形、楕円形、各種の多角形や不規則な形状のものでもよい。
また、ブロック１は平板状のプレートに限定するものではなく、表裏面の上下方向に曲折した板状のプレートでもよい。
【００２１】
図４に示すブロック１ａは、平面円形の基部プレート２ａの円周壁面に軸棒５を有する湾入部４と、他のブロックの湾入部４に嵌入でき、軸棒５を挟持できる間隔７をおいて、周壁面の上下方向に対向する２つの突片６、６を設けたものである。
突片６、６の対向面には、抜け止めのための突条８、突起または溝９を設けるのが好ましい。
基部プレート２ａの中心に孔１０を設けてもよい。
孔１０は円形に限らない。またその数は限定せず、複数であってもよい。
【００２２】
図５に示すブロック１ｂは、平面円形の基部プレート２ｂの円周に湾入部４を設け、その開口に軸棒５を取付けて受口を形成し、更に、円周の他の箇所に、２つの切り欠き１４を設け、２つの切り欠きの間の長さ（幅）を受口の湾入部４の幅とほぼ同じにし、２つの切り欠き１４、１４の間を他のブロックの湾入部４に嵌入できる形状の突部６ａ、６ａとし、その先端面には、他のブロックの軸棒５を嵌入しうる溝７ａを形成してプラグとしたものである。この場合突部６ａは円の径内にある。
図中の孔１０は設けても設けなくてもよい。孔１０を設ける場合には、その形状、数を限定しない。
【００２３】
ブロック１ａおよび１ｂと同種のブロックまたは他の形態のブロック板との連結要領は、先の実施の形態のブロックについて説明した要領と同じである。
【００２４】
図６に示すブロック２１は、ブロック１の基部プレート２の孔１０の代わりに、軸棒５を有する貫通孔１３を設けたもので、観点を変えれば、ブロック１１の周壁に湾入部４と軸棒５を有する突片３よりなる受口と、突片６よりなるプラグを設けたものである。
図６に示すように、上記受口およびプラグの双方を１または複数設けてもよく、または、いずれか一方の１または複数を設けてもよい。
ブロック２１の平面形状は、図６に示すものに限定せず、規則的な形状の多角形や不規則的な形状や円または楕円形状でもよい。また、基部プレート２は、平板形状、または、表裏面の上下方向に曲折した形状のプレートでもよい。
【００２５】
図７は、同形状のブロック２１の２個を直交して結合させたものを示すものである。
ただし、２個のブロック２１は、直交以外でも、軸棒５を軸として回動して角度を調整し、他の角度で結合することができる。
また、１つのブロック２１の突片６を他のブロックの受口の湾入部４に挿入し、軸棒５を軸として回動させ、角度を調整して、２つのブロック２１を１８０度の平面的な結合をしたり、または、鋭角、鈍角に結合することができる。
【００２６】
ブロック２１は、同形状のブロックとの結合のみならず、ブロック１、ブロック１１や後述のプレート形状以外の形状の立体のブロック１５等各種のブロックと結合することができる。
【００２７】
この発明は、第１ブロックはプレート状のものに限らず、プレート形状以外の形状のの立体（球体を含む）のブロックにも実施出来る。
図８に示すブロック１５は四角の六面体の立体のブロックである。
【００２８】
ブロック１５は、六面体の基体１６のいずれかの面に穴１７を設け、該穴１７の開口に、それを横ぎって、穴１７の奥の面と間隔をおいて軸棒５を取付けて、他のブロックの突部を嵌入出来る受け口を形成し、さらに、他面には、他のブロック１５の穴１７または他のブロックの湾入部４に嵌合しうる突部であって、その先端面に、他のブロックの軸棒５を嵌入しうる溝７ｂを設けた突部６ｂ、６ｂよりなるプラグを設ける。
突部６ｂ、６ｂの対向面には抜け止めのための溝９または突条８または突起を設けるのが好ましい。
【００２９】
ブロック１５を他のブロック１５または他の形態のブロックとの連結要領は、先の実施の形態のブロックの連結要領と同様である。
すなわち、ブロック１５の突部６ｂを他のブロック１５の穴１７または他の形態のブロックの湾入部４または貫通孔１３に嵌入させ、軸棒５を溝７、７ａまたは７ｂに嵌入させて連結し、溝に嵌入している軸棒５を軸として回動させ、２つのブロックの連結角度を調整する。
【００３０】
図９に示すものは、突部６ｂ、６ｂを設けたヘリコプター機体形状のブロック１５ａと、プロペラ形状の基部プレート１２ａに軸棒５を設けた貫通孔を設けてなるブロック１１ａを結合組み立てた玩具ヘリコプターである。
【００３１】
ブロック１、１ａ、１ｂ、１１、１５、２１のいずれのブロックにおいても、角度調整をし易くし、連結を強固にするために、軸棒５の表面に多数の小突起または突条を設け、突片６、６または突部６ａ、６ａまたは６ｂ、６ｂの対向面に溝９、９を設け、溝９、９に更に軸棒５の小突起または突条８に対応する線状の凹部（溝）を設けるのが好ましい。
【００３２】
また、いずれのブロックにおいても、その連結角度調整の可能範囲を大きくするために、軸棒５と平行の湾入部４、貫通孔、または穴１７の開口縁および突片６または突部６ａまたは６ｂの対向する先端内側縁の角を削り、傾斜面またはアールを設けるのが好ましい。
ブロックの厚み、大きさ等は限定しない。
連結用の湾入部４、貫通孔１３または穴１７および突片６または突部６ａ、６ｂの大きさは限定しないが、複数の形状のブロックにおいてはそれらの大きさを同じに統一するのが好ましい。
湾入部４、貫通孔１３または穴１７の開口幅が、突片６または突部６ａまたは６ｂの幅より大きくてもよい。
【００３３】
軸棒５を設けた湾入部４、貫通孔１３または穴１７を１または複数と、突片６、６または６ａ、６ａまたは突部６ｂ、６ｂの１または複数対とを設けたブロックを形成してもよい。
【００３４】
軸棒５を設けた湾入部４、貫通孔１３または穴１７だけを１または複数の周壁面または表面に設けたブロック、または、突片６、６または６ａ、６ａまたは突部６ｂ、６ｂだけをを１または複数の周壁面または表面に設けたブロックを形成してもよい。
【００３５】
各ブロックは、切削、鋳造、成形等の方法や、複数のプレートの接着で形成してもよい。
プラスチックやゴムで形成する場合には、一体成形することができる。
【００３６】
【発明の効果】
この発明に係る組立ブロックは、ジョイントブロックを必要とせず、ブロックのみで順次結合、連結することができる。
また、連結したブロックは、所望の角度に調整して結合、連結することができる。従って、種々の形態のものを組み立てることができ、幼児、児童の創造力の引出し、養成の効果がある。
プレート状のブロックの基部プレートに孔を設けた場合には、輪投げの輪として遊ぶことができるし、棒を通して玩具の刀の鍔とすることができ、球体等立体形状のブロックの孔に棒を通して人工衛生を形造る等、種々な遊びの道具とすることができる。
【図面の簡単な説明】
【図１】  第１のブロックの（Ａ）は平面図、（Ｂ）は正面図、（Ｃ）は右側面図、（Ｄ）は正面要部拡大図、（Ｅ）は他の実施の形態の正面用ブロック拡大図である。
【図２】  第２のブロックの平面図である。
【図３】  第１のブロックと第２のブロックとの組立による玩具自動車の斜視図である。
【図４】  他の実施の形態の第１のブロックの平面図である。
【図５】  他の実施の形態の第１のブロックの平面図である。
【図６】  他の実施の形態のブロックの平面図である。
【図７】  図６に示すブロック２枚の結合斜視図である。
【図８】  立体ブロックの斜視図である。
【図９】  立体ブロックと第２ブロックとを組立てなる玩具ヘリコプターの斜視図である。
【符号の説明】
１  ブロック
２  基部プレート
３  突片
４  湾入部
５  軸棒
６  突片
７  間隔
８  突条
９  溝
１０  孔
１１  ブロック
１２  基部プレート
１３  孔
１４  切り欠き
１５  ブロック
１６  基体
１７  穴
２１  ブロック
【図１】
0003869701.tif 000002
【図２】
0003869701.tif 000003
【図３】
0003869701.tif 000004
【図４】
0003869701.tif 000005
【図５】
0003869701.tif 000006
【図６】
0003869701.tif 000007
【図７】
0003869701.tif 000008
【図８】
0003869701.tif 000009
【図９】
0003869701.tif 000010